(57)【要約】【課題】双方向へ３６０度回転できると共に、異なる使用状態に対応することが可能なコネクターのカバーを提供する。【解決手段】中空体であって、両側に軸方向へ垂直に伸びだす側部カバーが設けられると共に、前記側部カバーの内部に溝部が形成される軸体と、前記軸体の軸方向における両側に設けられ、互いに結合する上カバーと下カバーを有し、前記上カバー、下カバー及び軸体の連接箇所に凹部が形成され、前記凹部の内部に前記軸体の溝部と対応する摺動レールが設けられ、前記凹部に対する上カバーと下カバーの片側に開口が形成される中空カバーと、を備えることを特徴とする。【選択図】図２
0003155489.tif 000002
【実用新案登録請求の範囲】
【請求項１】
中空体であって、両側に軸方向へ垂直に伸びだす側部カバーが設けられると共に、前記側部カバーの内部に溝部が形成される軸体と、
前記軸体の軸方向における両側に設けられ、互いに結合する上カバーと下カバーを有し、前記上カバー、下カバー及び軸体の連接箇所に凹部が形成され、前記凹部の内部に前記軸体の溝部と対応する摺動レールが設けられ、前記凹部に対する上カバーと下カバーの片側に開口が形成される中空カバーと、を備えることを特徴とする、コネクターのカバー。
【請求項２】
前記軸体は、互いに結合される第１軸部と第２軸部を有することを特徴とする、請求項１に記載のコネクターのカバー。
【請求項３】
前記凹部に前記上カバーと下カバーの中心へ延伸する突出ブロックが設けられることを特徴とする、請求項２に記載のコネクターのカバー。
【請求項４】
前記コネクターのカバーに少なくとも一つのコネクター本体が設けられることを特徴とする、請求項２または３に記載のコネクターのカバー。
【請求項５】
前記コネクター本体は、コネクタープラグ又はコネクターソケットであることを特徴とする、請求項４に記載のコネクターのカバー。
【請求項６】
前記コネクター本体は、外部コネクターと接続することを特徴とする、請求項５に記載のコネクターのカバー。
【考案の詳細な説明】
【技術分野】
【０００１】
本考案は、特に双方向へ３６０度回転できると共に、異なる使用状態に対応することが可能なコネクターのカバーに関するものである。
【背景技術】
【０００２】
電子科技の発展に伴い、様々な効果を有する電子製品が開発されており、又、これらの電子製品をパソコンと接続するために、ＵＳＢコネクター以外に、例えば、ＳＤやＸＤやＦＤの読み取りインターフェイスなどの記憶装置が使用されている。又、これらの記憶装置とパソコンとを接続するために、様々なコネクターや転換装置が開発されている。これらのＵＳＢコネクターや記憶装置が現在よく使用されているため、特に特許文献や非特許文献は記載しない。
【考案の概要】
【考案が解決しようとする課題】
【０００３】
しかしながら、従来のコネクターや記憶装置のカバーは、一体化され固定式であるものであるため、特定の場所で使用しなければならない。又、使用中、単一の方向へだけ挿入や抜出を行うため、使用の角度に対して調整することができず、非常に不便である。
【０００４】
そこで、案出されたのが本考案であって、双方向へ３６０度回転できると共に、異なる使用状態に対応することが可能なコネクターのカバーを提供することを目的としている。
【課題を解決するための手段】
【０００５】
本願の請求項１の考案は、中空体であって、両側に軸方向へ垂直に伸びだす側部カバーが設けられると共に、前記側部カバーの内部に溝部が形成される軸体と、前記軸体の軸方向における両側に設けられ、互いに結合する上カバーと下カバーを有し、前記上カバー、下カバー及び軸体の連接箇所に凹部が形成され、前記凹部の内部に前記軸体の溝部と対応する摺動レールが設けられ、前記凹部に対する上カバーと下カバーの片側に開口が形成される中空カバーと、を備えることを特徴とするコネクターのカバー、を提供する。
【０００６】
本願の請求項２の考案は、前記軸体は、互いに結合される第１軸部と第２軸部を有することを特徴とする請求項１に記載のコネクターのカバー、を提供する。
【０００７】
本願の請求項３の考案は、前記凹部に前記上カバーと下カバーの中心へ延伸する突出ブロックが設けられることを特徴とする請求項２に記載のコネクターのカバー、を提供する。
【０００８】
本願の請求項４の考案は、前記コネクターのカバーに少なくとも一つのコネクター本体が設けられることを特徴とする請求項２または３に記載のコネクターのカバー、を提供する。
【０００９】
本願の請求項５の考案は、前記コネクター本体は、コネクタープラグ又はコネクターソケットであることを特徴とする請求項４に記載のコネクターのカバー、を提供する。
【００１０】
本願の請求項６の案は、前記コネクター本体は、外部コネクターと接続することを特徴とする請求項５に記載のコネクターのカバー、を提供する。
【００１１】
本考案は上記の課題を解決するものであり、軸体の両側に、夫々１８０度回転できると共に、内部にコネクター本体を収容する中空カバーが設けられることにより、前記軸体の両側における前記中空カバーは双方向へ３６０度回転できるので、使用上非常に便利である。
【図面の簡単な説明】
【００１２】
【図１】本考案に係るコネクターのカバーを示す斜視図である。
【図２】本考案に係るコネクターのカバーを示す分解斜視図である。
【図３】本考案に係るコネクターのカバーを示す一部分解斜視図である。
【図４】本考案に係るコネクターのカバーを示す平面図である。
【図５】本考案に係るコネクターのカバーの使用状態を示す参考図である。
【図６】本考案に係るコネクターのカバーが外部コネクターと連接する状態を示す参考図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１に示すように、本考案に係わるコネクターのカバー（１）は、異なるコネクター本体（２）を内部に設置することが可能なカバーであり、軸体（１１）と、該軸体（１１）の両側に設けられる中空カバー（１２）とを備える。
【００１５】
図１ないし図３に示すように、前記軸体（１１）は、中空体であると共に、第１軸部（１１１）と第２軸部（１１２）を有し、前記第１軸部（１１１）と第２軸部（１１２）は、中空状であると共に、外側へ夫々伸びだす側部カバー（１１１１）（１１２１）を有し、前記側部カバー（１１１１）（１１２１）は、湾曲状であって、その内部に夫々前記第１軸部（１１１）と第２軸部（１１２）と垂直する溝部（１１１２）（１１２２）が形成され、前記第１軸部（１１１）における軸方向の両側に係合孔（１１１３）が形成され、前記第２軸部（１１２）における軸方向の両側に係合部材（１１２３）が設けられ、前記係合孔（１１１３）と係合部材（１１２３）にて前記第１軸部（１１１）と第２軸部（１１２）を互いに連接する。
【００１６】
前記中空カバー（１２）は、上カバー（１２１）と下カバー（１２２）を有し、前記上カバー（１２１）、下カバー（１２２）及び軸体（１１）の連接箇所に夫々凹部（１２１１）（１２２１）が形成され、これらの凹部（１２１１）（１２２１）に前記第１軸部（１１１）と第２軸部（１１２）の溝部（１１１２）（１１２２）と対応する摺動レール（１２１２）（１２２２）が設けられ、前記軸体（１１）と軸方向に垂直する上カバー（１２１）の両側に係合孔（１２１３）が形成され、前記軸体（１１）と軸方向に垂直する下カバー（１２２）の両側に前記係合孔（１２１３）と対応する係合部材（１２２３）が設けられ、更に、前記凹部（１２１１）（１２２１）に前記上カバー（１２１）と下カバー（１２２）の中心へ延伸する突出ブロックが設けられ、前記上カバー（１２１）の突出ブロックに複数の係合ロッド（１２１４）が設けられ、前記下カバー（１２２）の突出ブロックに前記係合ロッド（１２１４）と対応する複数の係合孔（１２２４）が形成され、これらの係合孔（１２１３）と係合部材（１２２３）及び係合ロッド（１２１４）と係合孔（１２２４）の係合により、前記上カバー（１２１）と下カバー（１２２）を緊密に結合することができる。
【００１７】
又、前記凹部（１２１１）（１２２１）に対する前記上カバー（１２１）と下カバー（１２２）の他側に凹溝（１２１５）（１２２５）が形成され、上カバー（１２１）と下カバー（１２２）を結合すると、前記コネクター本体（２）に収容可能な開口が形成され、故に、本考案に係わるコネクターのカバーは、前記開口の形状を調整することで異なる規格を有するコネクターやソケットを設置することができる。
【００１８】
又、図２、図４及び図５に示すように、本考案に係わるコネクターのカバー（１）の両側における中空カバー（１２）にコネクター本体（２）を設置する場合、前記コネクター本体（２）を接続するコード（３）は、一端におけるコネクター本体（２）から前記突出ブロックを回って前記軸体（１１）を通じて他のコネクター本体（２）と接続する。又、前記中空カバー（１２）は前記摺動レール（１２１２）（１２２２）にて前記溝部（１１１２）（１１２２）に摺動すると、前記中空カバー（１２）が該軸体（１１）に対する角度を調整することができる。一側における中空カバー（１２）は１８０度回転することができるので、同時に両側における中空カバー（１２）を調整すると、上下に３６０度回転する効果を得る。又、前記コード（３）は前記中空カバー（１２）の内部に確実に配線されるので、コネクターのカバー（１）の動きに邪魔することがない。
【００１９】
図６に示すように、便利に使用するために、本考案に係わるコネクターのカバー（１）は、前記軸体（１１）の一側における中空カバー（１２）にコネクター本体（２）が設けられ、他側における中空カバー（１２）にコード（３）によって外部コネクター（Ａ）を接続することができ、又、前記軸体（１１）の両側における中空カバー（１２）は双方向へ３６０度回転できるので、使用上非常に便利である。
【産業上の利用可能性】
【００２０】
本考案は上記の構成を有し、軸体の両側に、夫々１８０度回転できると共に、内部にコネクター本体を収容する中空カバーが設けられることにより、前記軸体の両側における前記中空カバーは双方向へ３６０度回転できるので、使用上非常に便利である。
【符号の説明】
【００２１】
１          コネクターのカバー
１１        軸体
１１１      第１軸部
１１１１    側部カバー
１１１２    溝部
１１１３    係合孔
１１２      第２軸部
１１２１    側部カバー
１１２２    溝部
１１２３    係合部材
１２        中空カバー
１２１      上カバー
１２１１    凹部
１２１２    摺動レール
１２１３    係合孔
１２１４    係合ロッド
１２１５    凹溝
１２２      下カバー
１２２１    凹部
１２２２    摺動レール
１２２３    係合部材
１２２４    係合孔
１２２５    凹溝
２          コネクター本体
Ａ          外部コネクター
３          コード
５          コード
【図１】
0003155489.tif 000003
【図２】
0003155489.tif 000004
【図３】
0003155489.tif 000005
【図４】
0003155489.tif 000006
【図５】
0003155489.tif 000007
【図６】
0003155489.tif 000008